(57)【要約】【課題】撮影に必要な照明を容易に提供可能にする。【解決手段】第１部材４１のステージ４１１の上面には、開口部４１２から本Ｂの頁Ｐを撮影できるように、タブレット端末６０がカメラ部６２を下側にして載置される。第１部材４１のステージ４１１の下面には、照明装置４５が設けられている。該照明装置４５は、ステージ４１１に設けられた開口部４１２を取り囲むように配置され、楕円形状の中心側に開口部４５１を有する形状のランプシェード４５２を備えている。ランプシェード４５２は、不図示のＬＥＤ（発光素子）からの光を拡散し、照射光の照度を本Ｂの頁Ｐ上で略均一とさせる。また、発光素子であるＬＥＤを保護する役目もある。【選択図】図４
2017175396.tif 000002
【特許請求の範囲】
【請求項１】
撮像方向が見開かれた本を向くように撮像装置を載置するためのステージと、
前記ステージの下面に設置され、前記見開かれた本を照明する照明装置と、
を備えることを特徴とする撮像装置スタンド。
【請求項２】
前記ステージは、長手方向に沿って形成された開口部を有し、
前記照明装置は、前記開口部を取り囲むように、前記ステージの下面に発光素子を有する、
ことを特徴とする請求項１に記載の撮像装置スタンド。
【請求項３】
前記照明装置は、前記発光素子からの光を拡散させるランプシェードを備える、
ことを特徴とする請求項２に記載の撮像装置スタンド。
【請求項４】
前記撮像装置は、前記撮像装置の撮像方向が前記ステージに形成されている前記開口部から前記見開かれた本を向くように前記ステージの上面に載置される、
ことを特徴とする請求項２又は３に記載の撮像装置スタンド。
【請求項５】
撮像方向が見開かれた本を向くように撮像装置が載置されるステージの下面に設けられ、前記見開かれた本の頁を照明する、
ことを特徴とする照明装置。
【請求項６】
前記ステージの長手方向に沿って形成された開口部を取り囲むように、前記ステージの下面に配設された発光素子を有する、
ことを特徴とする請求項５に記載の照明装置。
【請求項７】
前記発光素子からの光を拡散させるランプシェードを備える、
ことを特徴とする請求項６に記載の照明装置。
【請求項８】
開口部が設けられているとともに、前記開口部を介して撮像対象物の上方から前記撮像対象物を撮像可能なように撮像装置が載置されるステージと、
前記ステージにおける前記撮像装置が載置される面とは反対側の面に前記開口部を囲むように設けられ、前記撮像対象物の上方から前記撮像対象物に光を照射するための光照射部と、
を備えることを特徴とする撮像装置スタンド。
【発明の詳細な説明】
【技術分野】
【０００１】
本発明は、撮像装置スタンド、及び照明装置に関する。
【背景技術】
【０００２】
従来、スマートフォンやタブレット端末などの情報端末に内蔵されている撮像機能や、デジタルカメラを用いて被写体を撮像する場合に、長時間撮影や手振れ防止などのため、情報端末を何らかの手段で固定していた。なお、以下では、スマートフォンやタブレット端末などの情報端末に内蔵されている撮像機能や、デジタルカメラなど、撮像機能を備える電子装置を撮像装置という。
【０００３】
例えば、特許文献１には、複数の関節を有するアームの一端に撮像装置を三軸方向に回転可能に固定し、他端を設置面に固定でき、アームの一部に複数の電子機器が取り付けられるスタンドを用いることが開示されている。
【０００４】
また、特許文献２には、三脚スタンドの先端に垂直方向に移動可能な支柱と、該支柱に対して水平方向に移動可能な支えバーとを設け、該支えバーの先端に２軸方向に回転可能に撮像装置を固定する三脚スタンドを用いることが開示されている。
【先行技術文献】
【特許文献】
【０００５】
【特許文献１】特開２０１１−１０７６１１号公報
【特許文献２】特開２００７−２１９１９７号公報
【発明の概要】
【発明が解決しようとする課題】
【０００６】
ところで、従来、本等の頁を自動でめくる装置としては、重なっている頁を一枚ずつ吸着して頁をめくる頁めくり装置が知られている。頁めくり装置では、めくられる直前の頁を、撮像装置で一頁ずつ頁をめくる動作に同期させて連続撮影する技術が知られている。このような頁めくり装置においても、上述した特許文献１、２に開示されているようなスタンドを用いて撮像装置を固定していた。
【０００７】
しかしながら、上述した特許文献１、２では、撮像装置による撮像時に必要とされる照明は、自然光か、部屋の照明を用いるか、自然光や部屋の照明では照度が不十分である場合には、別途、撮影用の照明具を用意しなければならず、セッティングに非常に手間がかかるという問題があった。
【０００８】
そこで本発明は、撮影に必要な照明を容易に提供可能とすることを目的とする。
【課題を解決するための手段】
【０００９】
この発明に係る撮像装置スタンドは、撮像方向が見開かれた本を向くように撮像装置を載置するためのステージと、前記ステージの下面に設置され、前記見開かれた本を照明する照明装置と、を備えることを特徴とする。
【００１０】
この発明に係る照明装置は、撮像方向が見開かれた本を向くように撮像装置が載置されるステージの下面に設けられ、前記見開かれた本の頁を照明する、ことを特徴とする。
【００１１】
この発明に係る撮像装置スタンドは、開口部が設けられているとともに、前記開口部を介して撮像対象物の上方から前記撮像対象物を撮像可能なように撮像装置が載置されるステージと、前記ステージにおける前記撮像装置が載置される面とは反対側の面に前記開口部を囲むように設けられ、前記撮像対象物の上方から前記撮像対象物に光を照射するための光照射部と、を備えることを特徴とする。
【発明の効果】
【００１２】
この発明によれば、撮影に必要な照明を容易に提供可能にすることができる。
【図面の簡単な説明】
【００１３】
【図１】本発明の実施形態による撮像装置スタンドを用いた頁めくり装置１の外観構成を示す斜視図である。
【図２】本実施形態による撮像装置スタンドの外観構成（正面）を示す斜視図である。
【図３】本実施形態による撮像装置スタンドの外観構成（背面）を示す斜視図である。
【図４】本実施形態による撮像装置スタンドの外観構成（照明部）を示す斜視図である。
【図５】本実施形態による撮像装置スタンドにタブレット端末を設置した状態を示す斜視図である。
【図６】本実施形態による撮像装置スタンドにタブレット端末を固定するためのバンドの外観を示す上面図、及び当該バンドでタブレット端末を撮像装置スタンドに固定した状態を示す一部透視図である。
【図７】本実施形態による撮像装置スタンドにおいて、タブレット端末の固定位置と本のサイズとの関係を示す上面図である。
【図８】本実施形態による撮像装置スタンド４０の収納方法を示す斜視図である。
【発明を実施するための形態】
【００１４】
以下、本発明の実施の形態を、図面を参照して説明する。
【００１５】
図１は、本発明の実施形態による撮像装置スタンド４０を用いた頁めくり装置１の外観を示す斜視図である。なお、以下の説明においては本Ｂの頁Ｐを左から右へとめくる場合について説明する。図１において、頁めくり装置１は、本Ｂの頁Ｐをめくる頁めくり本体部１０と、開かれた本Ｂを保持する保持台３０とを備えている。
【００１６】
頁めくり本体部１０は、略直方体形状の収納ケース１１と、該収納ケース１１に収納可能なアーム部１２と、アーム部１２の先端に取り付けられ、本Ｂの頁Ｐに対して吸着する吸着部１３と、アーム部１２を右から左、左から右へと往復揺動させるモータなどの駆動部１４と、めくり元位置にある頁Ｐの上方に風を通過させ、めくり先位置にある頁Ｐに対して風を当てることで頁を吸着部（粘着ローラ部）１３から離脱させるための送風部１５とを備えている。
【００１７】
保持台３０は、ヒンジにより折り畳み自在な一対の保持板３１、３２を備えている。ここで、本Ｂの頁Ｐが左から右へとめくられる場合は、一対の保持板３１、３２のうち、左側に配置された一方の保持板３１が卓上に沿うように置かれ、右側に置かれる他方の保持板３２が一方の保持板３１に対して所定の角度で起き上がるように傾斜して卓上に置かれる。一方の保持板３１上には、本Ｂのめくり元位置となる頁Ｐが置かれ、他方の保持板３２上には、本Ｂのめくり先位置となる頁Ｐが置かれることになる。
【００１８】
これにより、保持台３０は、めくり元位置にある頁Ｐよりもめくり先にある頁Ｐの方が本Ｂの綴じ目に対して起きる方向に傾斜するように本Ｂを保持することになる。なお、一対の保持板３１、３２がヒンジにより折り畳み自在となっているので、一対の保持板３１、３２のなす角度も調整することができ、めくり先位置にある頁Ｐの水平面に対する傾斜角度θが調整自在となっている。傾斜角度θとしては３０〜４５度内の範囲で調整することが好ましい。
【００１９】
撮像装置スタンド４０は、撮影対象(撮像対象)の見開かれた本Ｂのめくり元位置にある頁Ｐに対して対角方向に、かつ撮像装置スタンド４０の設置面に対して平行に伸びるステージ４１１を有している。なお、以下では、ステージ４１１に撮像装置としてタブレット端末が設置されるものとして説明するが、タブレット端末に限定されるものではない。以下、本願発明の撮像装置スタンド４０について詳細に説明し、頁めくり装置１については説明を省略する。
【００２０】
図２は、本実施形態による撮像装置スタンド４０の外観構成（正面）を示す斜視図である。図２には、撮像装置スタンド４０の使用時（自立状態）における状態を示している。撮像装置スタンド４０は、Ｌ字型の第１部材４１と、同じくＬ字型の第２部材４２と、第２部材４２を基準に第１部材４１を上下移動させる調整部４３と、第２部材４２の直角方向に延設された部分と回転自在に結合された第３部材４４（撮像装置スタンド４０の設置面をなす台座部）とからなる。
【００２１】
第１部材４１は、直角方向に延設されるステージ４１１を備えている。ステージ４１１の先端近傍には長手方向に沿って楕円形状の開口部４１２が形成されている。また、ステージ４１１上には、滑り止めと衝撃吸収とを兼ねた素材（ＥＰＰ；発砲ポリプロピレンなど）からなるシート４１３が開口部４１２を避けるように設けられている。ステージ４１１上には、不図示のタブレット端末等のカメラ部（レンズ開口部）が下向きになるよう載置される（詳細は後述）。なお、タブレット端末を載置するために、第１部材４１は、少なくとも平面状（板状）でなければならない。第１部材４１の垂直方向に延設される部分は、調整部４３に挿入されている。
【００２２】
第２部材４２の垂直方向に延設される部分は、第１部材４１と同様に調整部４３に挿入されている。一方、第２部材４２の下部の直角方向に延設される部分は、第３部材４４の一端と回転軸ＲＡを中心に回転自在に結合されている。
【００２３】
調整部４３は、後述する操作ノブ５０を備えおり、該操作ノブ５０の操作によって第１部材４１、すなわちステージ４１１が上下方向に移動（昇降）するようになっている。
【００２４】
第３部材４４は、当該撮像装置スタンド４０を自立させるための脚部として機能する。
【００２５】
また、上述したように、第２部材４２の直角方向に延設された部分と第３部材４４の端部とは回転軸ＲＡを中心に回転自在に結合されている。すなわち、第３部材４４に対して、第２部材４２(調整部４３、第１部材４１を含む）を矢印方向Ａに回転させることが可能となっている。第２部材４２が回転可能であるということは、第１部材４１、ステージ４１１が回転軸ＲＡを中心に回転可能であり、ステージ４１１の位置（本Ｂに対する位置）を可変することができるということである。
【００２６】
第２部材４２に付けられたマークＭ１と第３部材４４に付けられたマークＭ２が並ぶ位置まで第２部材４２（調整部４３、第１部材４１を含む）を回転させた位置が基準の位置となる。すなわち、マークＭ１、Ｍ２同士が並ぶ位置にセットすることで、第１部材４１のステージ４１１が頁めくり装置１に設置された本Ｂの頁Ｐに正対すべく対角方向に延在することになる（詳細は後述）。この基準の位置において、通常、ステージ４１１上に載置されたタブレット端末のカメラ部で、頁めくり装置１に設置された本Ｂの頁Ｐの撮影（撮像）が行われる。
【００２７】
また、第１部材４１のステージ４１１の下面には、発光素子にＬＥＤを用いた照明装置４５が設けられている。
【００２８】
図３は、本実施形態による撮像装置スタンド４０の外観構成（背面）を示す斜視図である。図３には、撮像装置スタンド４０の使用時(自立状態）における状態を示している。上述したように、調整部４３は、第１部材４１を上下移動させるための操作ノブ５０を備えている。該操作ノブ５０を時計回りに回転させると、第１部材４１が上昇する。すなわち、ステージ４１１が上昇する。一方、操作ノブ５０を反時計回りに回転させると、第１部材４１が下降する。すなわち、ステージ４１１が下降する。
【００２９】
ステージ４１１の昇降に応じて、ステージ４１１上に載置されたタブレット端末等の撮像装置の画角が変化する。相対的に小さな本（例えば文庫本；１０５ｍｍ×１４８ｍｍなど）の頁を撮影する場合には、ステージを下降させてカメラ部と本との距離を縮めて画角を小さくし、相対的に大きな本（例えばＡ４版；２１０ｍｍ×２９７ｍｍ）の頁を撮影する場合には、ステージ４１１を上昇させてカメラ部と本との距離を広げて画角を広くする。
【００３０】
また、第３部材４４は、頁めくり装置１の保持台３０に設けられた開口部３３に挿入される。これにより、撮像装置スタンド４０の頁めくり装置１に対する相対的な位置が物理的に決まる。言い換えると、タブレット端末の本Ｂのめくり元の頁Ｐに対する相対的な位置が決まることになる。
【００３１】
図４は、本実施形態による撮像装置スタンド４０の外観構成（照明部）を示す斜視図である。第１部材４１のステージ４１１の下面には、上述した照明装置４５が設けられている。該照明装置４５は、ステージ４１１に設けられた開口部４１２を取り囲むように配置されるように、楕円形状の中心側に開口部４５１を有する形状のランプシェード４５２を備えている。ランプシェード４５２は、不図示のＬＥＤからの光を拡散し、照射光の照度を本Ｂの頁Ｐ上で略均一とする。また、発光素子であるＬＥＤを保護する役目もある。
【００３２】
図５は、本実施形態による撮像装置スタンド４０にタブレット端末６０を設置した状態を示す斜視図である。図示の例では、タブレット端末６０の裏面（表示パネル６１の反対側）に設けられているカメラ部６２によって本Ｂの頁Ｐを撮影することを想定している。したがって、タブレット端末６０のカメラ部６２（レンズ開口部）が本Ｂの頁Ｐを画角内に収めるように、裏面が下側、表示パネル６１が上側となるように、タブレット端末６０をステージ４１１上に載置する。
【００３３】
このとき、カメラ部（レンズ開口部）６２がステージ４１１上に設けられた開口部４１２から本Ｂの頁Ｐに向けられるように、かつ撮影対象の本Ｂの略中心に位置するように位置決めする。位置決めは、所定のアプリケーションによる撮影モードを実行していれば、現在、カメラ部６２により撮像されているスルー画像が表示パネル６１に表示されるので、該表示を見ながら画角内に頁Ｐが収まるように、タブレット端末６０の位置を決めればよい。タブレット端末６０の位置が決まったら、シリコン製の伸縮性のあるバンド７０をタブレット端末６０の対角上の角部に架け渡すことでステージ４１１に固定する。なお、バンド７０によってタブレット端末６０の対角上の角部を固定するためには、少なくともタブレット端末６０の角部が、ステージ４１１から突出していなければならない。タブレット端末６０とステージ４１１との間には、ステージ４１１上に設けられたシート４１３が介在するので、タブレット端末６０を傷つけることがない。バンド７０による固定方法については後述する。
【００３４】
図６（ａ）は、実施形態による撮像装置スタンド４０にタブレット端末６０を固定するためのバンドの外観を示す上面図であり、図６（ｂ）は、当該バンド７０でタブレット端末６０を撮像装置スタンド４０に固定した状態を示す一部透視図である。バンド７０は、伸縮性があり、タブレット端末６０を傷つけないシリコンなどの素材からなる。バンド７０は、図示するように、複数の開口部７１を有する梯子状の形状をしている。
【００３５】
タブレット端末６０を固定するには、バンド７０の一端の開口部７１をステージ４１１上に位置決めされたタブレット端末６０の対角上の一方の角部に掛け、他端をステージ４１１の下方を通して、他端の開口部７１をタブレット端末６０の対角上の他方の角部に掛けるようにする。タブレット端末６０は、完全に固定されるわけではないが、バンド７０や、シート４１３が滑りにくい素材から構成されているので、撮影中に不用意に動いたり、撮影ブレなどが生じたりしない程度に十分に固定される。
【００３６】
弛まないように確実に固定するには、バンド７０の伸び具合や、タブレット端末６０のサイズに応じて、タブレット端末６０の角部に掛ける開口部７１の位置を変えればよい。すなわち、小さなサイズのタブレット端末６０であれば、どちらか端部の開口部７１と中央の開口部７１とをタブレット端末６０に掛ければよく、大きなサイズのタブレット端末６０であれば、両端部の開口部７１をタブレット端末６０に掛ければよい。
【００３７】
このように、タブレット端末６０の裏面から固定するので、表示パネル６１を覆うことがないので視認性を損なうことがない。また、バンド７０をシリコンなどの素材から構成することで、十分な伸縮性と耐久性を得ることができ、タブレット端末６０を傷つけることなく固定することができる。
【００３８】
なお、開口部７１の数や大きさは、バンド７０の強度や長さなどに応じて適宜設定されればよく、図示の例に限定されるものではない。
【００３９】
図７は、本実施形態による撮像装置スタンド４０において、タブレット端末６０の固定位置と本Ｂのサイズとの関係を示す上面図である。図７には、頁めくり装置１と撮像装置スタンド４０と本Ｂのサイズとの関係を示している。上述したように、撮像装置スタンド４０の第３部材４４は、頁めくり装置１の保持台３０に設けられた開口部３３に挿入される。この開口部３３は、頁のめくり先の保持板３２を所定の角度に支持する保持台３０の台座（図１の保持台３０の右下側）の、頁めくり本体部１０が配置される側（図１の右奥）の側面に設けられている。また、開口部３３を介して第３部材４４が挿入される保持台３０の凹部が、上記保持台３０の台座（図１の保持台３０の右下側）の下部に上記開口部３３から図面手前側に延設されている。このように、第３部材４４を頁めくり装置１の保持台３０に脱着可能に固定するようにしたので、頁めくり装置１に対する撮像装置スタンド４０の相対的な位置が物理的に定まる。
【００４０】
また、第３部材４４の一端が屈曲しているので、収納ケース１１を所定の位置にセットする際に、収納ケース１１の筐体を上記屈曲している第３部材４４の端面に当接することで、収納ケース１１の位置が一意に決まることになる。すなわち、収納ケース１１が見開かれた本Ｂの頁Ｐのめくり先位置へ移動することを規制する。また、頁めくり動作中の頁めくり本体部１０と、開かれた本Ｂを保持する保持台３０及び開かれた本Ｂとの相対的な位置が物理的に定まる。これにより、頁めくり装置１を容易にセッティングすることができる。
【００４１】
そして、撮像装置スタンド４０の第２部材４２と第３部材４４に付けられたマークＭ１、Ｍ２同士が並ぶ位置まで第２部材４２（調整部４３、第１部材４１を含む）を回転させることで、第１部材４１のステージ４１１が保持板３１に対して略対角方向に位置することなる。つまり、ステージ４１１に設けられた開口部４１２が保持板３１に載置された本Ｂの略対角方向に位置することになるので、ステージ４１１上に載置されたタブレット端末６０を適宜移動させることで、文庫本（１０５ｍｍ×１４８ｍｍ）のような比較的小さなサイズの本Ｂ１でも、Ａ４版８１（２１０ｍｍ×２９７ｍｍ）のような比較的大きなサイズの本Ｂ２でも、タブレット端末６０のカメラ部６２の画角内に収めることができる。
【００４２】
なお、第１部材４１の回転角度をマークＭ１、Ｍ２に関係なく適宜調整すれば、他のサイズや、図示とは異なる縦横比の本Ｂであっても、タブレット端末６０のカメラ部６２の画角内に収めることが可能である。
【００４３】
図８は、本実施形態による撮像装置スタンド４０の収納方法を示す斜視図である。撮像装置スタンド４０を収納する際には、第３部材４４を、回転軸ＲＡ（図３参照）を中心に回転させ、図８に示すように、全体としてコの字型の形状とし、第３部材４４の下側が面一となるような角度にする。また、頁めくり装置１については、保持板３２をヒンジにより折り畳んで閉じる。そして、頁めくり装置１の両側を撮像装置スタンド４０の第１部材４１と第３部材４４で挟み込むようにして収納する。これにより、１つの収納バック等に非常にコンパクトに収納することが可能となる。
【００４４】
なお、上述した実施形態では、カメラ部６２（レンズ開口部）がタブレット端末６０の裏面角部に配置されている例について説明したが、これに限らず、カメラ部６２（レンズ開口部）がタブレット端末６０の裏面上部中央に配置されている場合であっても、タブレット端末６０のステージ４１１上への載置角度が変わるだけで同様に撮影ができることは言うまでもない。
【００４５】
上述した本実施形態によれば、撮像方向が見開かれた本を向くように撮像装置を載置するためのステージ４１１の下面に、見開かれた本を照明する照明装置を設置したので、撮影に必要な照明を容易に提供することができる。
【００４６】
また、本実施形態によれば、ステージ４１１の長手方向に沿って形成された開口部を取り囲むように、ステージ４１１の下面に発光素子を有する照明装置４５を設けたので、撮影に必要な照明を容易に提供することができる。
【００４７】
また、本実施形態によれば、照明装置４５発光素子からの光を拡散させるランプシェードを備えるようにしたので、照射光の照度を本Ｂの頁Ｐ上で略均一とすることができる。
【００４８】
また、本実施形態によれば、タブレット端末６０を、当該タブレット端末６０のカメラ部６２による撮像方向がステージ４１１に形成されている開口部４１２から見開かれた本Ｂを向くようにステージ４１１の上面に載置されるようにしたので、照明装置４５によって十分な照射光が照射されている本Ｂの頁Ｐを撮像することができる。
【００４９】
以上、この発明のいくつかの実施形態について説明したが、この発明は、これらに限定されるものではなく、特許請求の範囲に記載された発明とその均等の範囲を含むものである。
以下に、本願出願の特許請求の範囲に記載された発明を付記する。
【００５０】
（付記１）
付記１に記載の発明は、撮像方向が見開かれた本を向くように撮像装置を載置するためのステージと、前記ステージの下面に設置され、前記見開かれた本を照明する照明装置と、を備えることを特徴とする撮像装置スタンドである。
【００５１】
（付記２）
付記２に記載の発明は、前記ステージは、長手方向に沿って形成された開口部を有し、前記照明装置は、前記開口部を取り囲むように、前記ステージの下面に発光素子を有する、ことを特徴とする付記１に記載の撮像装置スタンドである。
【００５２】
（付記３）
付記３に記載の発明は、前記照明装置は、前記発光素子からの光を拡散させるランプシェードを備える、ことを特徴とする付記２に記載の撮像装置スタンドである。
【００５３】
（付記４）
付記４に記載の発明は、前記撮像装置は、前記撮像装置の撮像方向が前記ステージに形成されている前記開口部から前記見開かれた本を向くように前記ステージの上面に載置される、ことを特徴とする付記２又は３に記載の撮像装置スタンドである。
【００５４】
（付記５）
付記５に記載の発明は、撮像方向が見開かれた本を向くように撮像装置が載置されるステージの下面に設けられ、前記見開かれた本の頁を照明する、ことを特徴とする照明装置である。
【００５５】
（付記６）
付記６に記載の発明は、前記ステージの長手方向に沿って形成された開口部を取り囲むように、前記ステージの下面に配設された発光素子を有する、ことを特徴とする付記５に記載の照明装置である。
【００５６】
（付記７）
付記７に記載の発明は、前記発光素子からの光を拡散させるランプシェードを備える、ことを特徴とする付記６に記載の照明装置である。
【００５７】
（付記８）
付記８に記載の発明は、開口部が設けられているとともに、前記開口部を介して撮像対象物の上方から前記撮像対象物を撮像可能なように撮像装置が載置されるステージと、前記ステージにおける前記撮像装置が載置される面とは反対側の面に前記開口部を囲むように設けられ、前記撮像対象物の上方から前記撮像対象物に光を照射するための光照射部と、を備えることを特徴とする撮像装置スタンドである。
【符号の説明】
【００５８】
１  頁めくり装置
１０  頁めくり本体部
１１  収納ケース
１２  アーム部
１３  吸着部
１４  駆動部
１５  送風部
３０  保持台
３１  保持板
３２  保持板
３３  開口部
Ｂ、Ｂ１、Ｂ２  本
θ  傾斜角度
４０  撮像装置スタンド
４１  第１部材
４１１  ステージ
４１２  開口部
４１３  シート
４２  第２部材
４３  調整部
４４  第３部材
４５  照明装置
４５１  開口部
４５２  ランプシェード
５０  操作ノブ
６０  タブレット端末
６１  表示パネル
６２  カメラ部
７０  バンド
７１  開口部
Ｍ１、Ｍ２  マーク
ＲＡ  回転軸
【図１】
2017175396.tif 000003
【図２】
2017175396.tif 000004
【図３】
2017175396.tif 000005
【図４】
2017175396.tif 000006
【図５】
2017175396.tif 000007
【図６】
2017175396.tif 000008
【図７】
2017175396.tif 000009
【図８】
2017175396.tif 000010